(57)【要約】      （修正有）【課題】健康診断の読影に適さない画像の撮影を禁止する眼科撮影装置を提供する。【解決手段】被検眼眼底を照明する照明手段と、照明手段により照明された眼底像を撮像する撮像手段と、被検眼の左右眼区別を検出する左右眼区別手段と、検出された被検眼の左右眼情報と、固視目標提示手段による提示位置に基づいて、被検眼の視神経乳頭相当位置を検出し、撮像手段で撮像された画像から撮影された画像の良否を判定可能な眼科撮影装置。【選択図】図１
2005261450.tif 000002
【特許請求の範囲】
【請求項１】
被検眼眼底を照明する照明手段と、該照明手段により照明された眼底像を撮像する撮像手段と、前記被検眼の左右眼区別を検出する左右眼区別検出手段と、前記被検眼の視線を誘導する固視目標提示手段と、前記左右眼区別検出手段による検出結果と、前記固視目標提示手段による提示位置に基づいて、前記被検眼の視神経乳頭相当位置を検出する視神経乳頭相当位置検出手段と、該視神経乳頭相当位置検出手段による検知結果と、前記撮像手段で撮像された画像から前記撮像手段で撮影された画像の良否を判定する良否判定手段を有することを特徴とする眼科撮影装置。
【請求項２】
前記良否判定手段の判定結果に基づいて、警告表示を行う警告表示手段を有することを特徴とする請求項１記載の眼科撮影装置。
【請求項３】
前記良否判定手段の判定結果に基づいて、前記撮像手段で撮像された画像の記録を実行するか否かを判定する記録方法判定手段を有することを特徴とする請求項１記載の眼科撮影装置。
【発明の詳細な説明】
【技術分野】
【０００１】
本発明は、集団健診や人間ドックなどの健康診断で使用される、眼底カメラ等の眼科撮影装置に関する。
【背景技術】
【０００２】
従来、住民健診や企業健診等の集団健診においては、眼底検査が実施されている。以前は片眼のみの眼底撮影が行われていたが、近年では、検査していない他眼に所見が現れる場合がある状況を鑑み、左右両眼撮影が実施されている。
【０００３】
集団健診での眼底撮影では通常散瞳剤を必要としない無散瞳撮影が行われている。無散瞳撮影は検査室内を暗くしたり、簡易暗室等により被検眼頭部を室内光から遮蔽することにより、被検眼の自然散瞳を促した上で撮影を行うものである。
【０００４】
撮影に際しては、被検眼の誘導を行うため、光学系内に配置した固視目標を被検眼に提示する。通常、健康診断で撮影する範囲は図３に示すように視神経乳頭部、及び黄斑部が均等に配置される位置で行う。
【特許文献１】特開平１０−３２３３２７
【発明の開示】
【発明が解決しようとする課題】
【０００５】
集団健診では、多くの被検者を短時間で撮影する必要があるため、撮影者は不要光が入り込まないためのワーキング合わせや、ピント合わせに注力するあまり、被検者に提示している固視目標を注視しているかの確認を怠ってしまう場合が多々あった。
【０００６】
また、健診の特性上、被検者は高齢者が多く、固視目標を確認しずらかったり、また視線が定まらない場合も日常的に見受けられた。
【０００７】
このような状況下で撮影された眼底画像では、必要な情報が写っていない場合もあり、読影医は被検者の所見を見逃してしまう恐れがあった。
【０００８】
本発明の目的は、上述の問題点を解消し、健康診断の読影に適さない画像の撮影を禁止する眼科撮影装置を提供することにある。
【課題を解決するための手段】
【０００９】
上記目的を達成するための本発明に係る眼科撮影装置は、被検眼眼底を照明する照明手段と、該照明手段により照明された眼底像を撮像する撮像手段と、前記被検眼の左右眼区別を検出する左右眼区別検出手段と、前記被検眼の視線を誘導する固視目標提示手段と、前記左右眼区別検出手段による検出結果と、前記固視目標提示手段による提示位置に基づいて、前記被検眼の視神経乳頭相当位置を検出する視神経乳頭相当位置検出手段と、該視神経乳頭相当位置検出手段による検知結果と、前記撮像手段で撮像された画像から前記撮像手段で撮影された画像の良否を判定する良否判定手段を有する。
【発明の効果】
【００１０】
以上説明したように、本発明に係る眼科撮影装置においては、視神経乳頭相当位置を検出し、この位置情報から被検眼眼底の撮影部位の良否を判断するように構成したので、撮影者は被検眼の位置合わせ、ピント合わせに注力でき、大量の眼底撮影を正確にかつ迅速に行うことができる効果がある。
【発明を実施するための最良の形態】
【００１１】
（実施例）
本発明を図１〜図６に図示の装置構成図及びフローチャートを用いて詳細に説明する。
【００１２】
なお、図２のフローチャートにおいて、ステップ１〜３は撮影者が行う処理、ステップ４〜６の処理は本装置が内部で行う処理を示す。
【００１３】
図１は実施例の装置構成図を示し、１はランプ等の観察／アライメント用光源、２は赤外光を透過する可視カットフィルター、３はコンデンサーレンズ、４はストロボ光源等の静止画撮影用光源、５はリレーレンズ、６は穴あきミラー、Ｅは被検眼、７は対物レンズ、８は前眼部観察に光路内に挿入される前眼部観察レンズ、９は合焦機能を有するレンズ系、１０は図面における右端を軸に左側が上に跳ね上がる跳ね上げミラー、１１は撮影用センサーユニット、１２はレンズ、１３は観察用センサーユニット、１４は観察画像用モニタ、１５は撮影画像の一次保存をするメモリ、１６はモニタ、１７は固視目標位置検出部、１８は左右眼検知部、１９は撮影部位が適正か否かの判断及び、警告等の指示を行う判断警告部である。
【００１４】
図示しない電源スイッチの操作により、通電されると、図示しない駆動制御部の制御により前眼部観察レンズ８が光路に挿入される。また、前眼部を照明するための図示しない赤外光源から発せられた赤外光により、被検眼Ｅの前眼部が照明され、前眼部からの反射光は、対物レンズ７を通り、前眼部観察レンズ８、穴あきミラー６の穴部、レンズ系９を経て、跳ね上げミラー１０により反射され、レンズ１２を経由して観察用センサーユニット１３へ導かれる。観察用センサーユニット１３で光電変換された前眼部観察画像は観察画像用モニタ１４上に映出される。
【００１５】
撮影者は、観察画像用モニタ１４上の前眼部観察像を用いて、対物レンズを含む図示しない光学ユニットを移動させ、被検眼前眼部の位置合わせを行う（ステップ１）。
【００１６】
被検眼前眼部の位置合わせ等が終了したら、図示しない前眼部／眼底部切換えスイッチを押下する。これにより図示しない駆動制御部の制御により、前眼部観察レンズ８が光路から離脱し、さらに観察／アライメント用光源１が点灯する。
【００１７】
観察／アライメント用光源１から発せられた照明光は、可視カットフィルター２により、赤外域のみの波長を持つ光に変換された後、コンデンサーレンズ３、リレーレンズ５を経由して穴あきミラー６のミラー部で反射され、対物レンズ７を通って、被検眼Ｅの眼底部を照明する。眼底部からの反射光は再び対物レンズ７を通り、穴あきミラー６の穴部、レンズ系９を経て、跳ね上げミラー１０により反射され、レンズ１２を経由して観察用センサーユニット１３へ導かれる。観察用センサーユニット１３で光電変換された眼底部観察画像は観察画像用モニタ１４上に映出される。
【００１８】
また、被検眼の視線を誘導するための図示しない固視目標が被検眼に提示される。
【００１９】
観察画像用モニタ１４に表示される眼底部観察画像を用いて、撮影者は被検眼眼底部の撮影部位について位置合わせ、ピント調整を行う（ステップ２）。
【００２０】
被検眼眼底部の位置合わせ等が終了すると、撮影者は図示しない撮影スイッチにより被検眼の撮影を行う（ステップ３）。
【００２１】
まず静止画撮影用光源４が点灯し、静止画撮影用光源４からの照明光はリレーレンズ５を経由して穴あきミラー６のミラー部で反射され、対物レンズ７を通って、被検眼Ｅの眼底部を照明する。眼底部からの反射光は再び対物レンズ７を通り、穴あきミラー６の穴部、レンズ系９を経て、跳ね上げミラー１０が跳ね上げられることにより、撮影用センサーユニット１１に導かれ、メモリ１５に一次記憶される。
【００２２】
撮影が完了したら、本装置は判断警告部１９により、被検眼の視神経乳頭相当位置を検出する（ステップ４）。
【００２３】
健康診断における眼底検査では、上記のように短時間で読影できるよう、１眼につき１画像とする必要があるため、図３に示す如く、視神経乳頭部、黄斑部がともに均等に入る構図で撮影を行う。このため、黄斑部の位置を指定する固視目標の位置及び左右眼の区別情報があれば、本来視神経乳頭部はどの位置にあるべきかが判断可能である。
【００２４】
被検眼の視線を固定するための固視目標は、図３の構図となる位置に提示され、固視目標の位置は固視目標位置検出部１７により検出される。
【００２５】
一方、被検眼の視神経乳頭位置は左右眼で異なり、右眼の場合には右側（図３参照）、左眼の場合は左側となる。
【００２６】
左右眼の検出は、左右眼検知部１８において、図１に示す光学系を含む図示しない光学基台の位置検出スイッチの状態から判断する。
【００２７】
上記位置検出スイッチの状態が被検眼の右目側にある位置を示している場合には、左右眼検知部１８では、「右目」として検知し、反対に被検眼の左目側にある位置を示している場合には、「左目」として検知する。
【００２８】
判断警告部１９では、固視目標位置検出部１７、左右眼検知部１８の検知結果に基づき、図４に示すように視神経乳頭相当位置を特定する。図４は右眼の場合の例である。
【００２９】
具体的には上記左右眼の検知結果に基づき、図３に示すような視神経乳頭位置と黄斑位置の関係から視神経乳頭部位置を特定する。
【００３０】
なお、上記説明では被検眼眼底の撮影が行われてから視神経乳頭相当位置を検出する場合を例に挙げて説明したが、これに限ることなく、撮影前に検出するように構成しても良い。
【００３１】
次にステップ４で検出された視神経乳頭相当位置に被検眼の視神経乳頭が存在するか否かの判断を行う（ステップ５）。
【００３２】
視神経乳頭部は黄斑部を含む他の網膜部位にくらべ極端に反射率が高いので、メモリ１５内に一次記憶されている眼底像において、ステップ４で検出された図５に示す視神経乳頭相当位置近傍範囲内の画素値について、予め図示しないメモリに設定されている視神経乳頭部を抽出するための閾値との比較が行われ、閾値以上の画素が視神経乳頭部として抽出される。
【００３３】
なお、上記視神経乳頭相当位置近傍範囲は、読影において有効と思われる撮影部位内の視神経乳頭相当位置の範囲を示す。従ってこの範囲に視神経乳頭部が存在する撮影範囲であれば正常な読影が可能となる。
【００３４】
視神経乳頭相当位置近傍範囲は経験に基づき、予め図示しないメモリに記憶されているものである。
【００３５】
ステップ５での判断の結果、視神経乳頭相当位置に被検眼の視神経乳頭が存在すれば、撮影画像を図示しないハードディスクやＭＯディスク、あるいはフラッシュメモリ等の画像保存媒体に記録を行う。
【００３６】
一方、存在しない場合には、図６に示す如く、モニタ１６に警告文が表示される（ステップ６）。
【００３７】
なお、ここでは視神経乳頭相当位置近傍範囲に視神経乳頭部が存在しない場合、モニタ１６上に警告文が表示されることを例に挙げて説明したが、これに限らず、図示しないＬＥＤやランプ、又はブザー等により撮影者に警告するよう構成しても良い。
【図面の簡単な説明】
【００３８】
【図１】本発明の装置構成図
【図２】本発明の動作フロー
【図３】眼底像の例
【図４】視神経乳頭相当位置検出の例
【図５】視神経乳頭相当位置近傍範囲の例
【図６】警告表示の例
【符号の説明】
【００３９】
１  観察／アライメント用光源
２  可視カットフィルター
３  コンデンサーレンズ
４  静止画撮影用光源
５  リレーレンズ
６  穴あきミラー
７  対物レンズ
８  前眼部観察レンズ
９  レンズ系
１０  跳ね上げミラー
１１  撮影用センサーユニット
１２  レンズ
１３  観察用センサーユニット
１４  観察画像用モニタ
１５  メモリ
１６  モニタ
１７  固視目標位置検出部
１８  左右眼検知部
１９  判断警告部
【図１】
2005261450.tif 000003
【図２】
2005261450.tif 000004
【図３】
2005261450.tif 000005
【図４】
2005261450.tif 000006
【図５】
2005261450.tif 000007
【図６】
2005261450.tif 000008